(57)【要約】【課題】蓄電池ユニットを設置する場所の自由度を高めることができる蓄電池ユニット用ハウジングを提供すること。【解決手段】蓄電池ユニット用ハウジングが、蓄電池を収容可能な箱状の本体と、本体の内部に設けられ、蓄電池と外部機器とを電気的に接続する配線を接続可能な接続部とを備える。本体が、本体の内部および本体の外部にそれぞれ連通して、配線を本体の内部に引き込み可能な複数の引き込み口を有し、複数の引き込み口を介して本体の内部に引き込まれた配線が、接続部に接続可能に構成されている。【選択図】図４
2020071950.tif 000002
【特許請求の範囲】
【請求項１】
蓄電池を収容可能な本体と、
前記本体の内部に設けられ、前記蓄電池と外部機器とを電気的に接続する配線を接続可能な接続部と
を備え、
前記本体が、
前記本体の内部および前記本体の外部にそれぞれ連通して、前記配線を前記本体の内部に引き込み可能な複数の引き込み口を有し、
前記複数の引き込み口を介して前記本体の内部に引き込まれた前記配線が、前記接続部に接続可能に構成されている、蓄電池ユニット用ハウジング。
【請求項２】
前記本体が、
前記本体の内部に設けられ、前記接続部が配置されている第１収容部と、
前記本体の内部に設けられ、前記複数の引き込み口に接続されていると共に、開口部を介して前記第１収容部に接続されている第２収容部と、
前記開口部を封止する封止部と
を有している、請求項１の蓄電池ユニット用ハウジング。
【請求項３】
前記第１収容部および前記封止部とで、防火エンクロージャを構成している、請求項２の蓄電池ユニット用ハウジング。
【請求項４】
前記封止部が、前記本体から取り外し可能に構成されている、請求項２または３の蓄電池ユニット用ハウジング。
【請求項５】
前記封止部が、ケーブルグランドで構成されている、請求項２から４のいずれか１つの蓄電池ユニット用ハウジング。
【請求項６】
前記第２収容部が、前記封止部から前記複数の引き込み口の少なくともいずれかに向かって鉛直方向に傾斜する排水用傾斜面を有している、請求項２から５のいずれか１つの蓄電池ユニット用ハウジング。
【請求項７】
前記本体が、第１側面と、前記第１側面に交差する第２側面とを有し、
前記第１側面および前記第２側面の各々に、前記複数の引き込み口が少なくとも１つ配置されている、請求項１から６のいずれか１つの蓄電池ユニット用ハウジング。
【請求項８】
蓄電池と、
前記蓄電池が収容された請求項１から７のいずれか１つの蓄電池ユニット用ハウジングと
を備える、蓄電池ユニット。
【発明の詳細な説明】
【技術分野】
【０００１】
本発明は、蓄電池ユニット用ハウジングおよび蓄電池ユニットに関する。
【背景技術】
【０００２】
特許文献１には、家電製品、照明機器、および、空調設備などに電力を供給可能な家庭用蓄電池ユニットが開示されている。
【先行技術文献】
【特許文献】
【０００３】
【特許文献１】特開２０１４−１１９２０号公報
【発明の概要】
【発明が解決しようとする課題】
【０００４】
一般に、前記家庭用蓄電池ユニットのような蓄電池ユニットは、内部に蓄電池が収容された矩形箱形のハウジングを有し、このハウジングを介して室内の壁面に固定されて設置され、配線を介して外部機器と電気的に接続されている。
【０００５】
前記蓄電池ユニットでは、通常、ハウジングの背面あるいは側面のいずれか一方のみに、配線をハウジングの内部に引き込み可能な引き込み口が設けられ、壁内に配置された配線がハウジングの背面に設けられた引き込み口を介してハウジングの内部に引き込まれて蓄電池に接続される隠蔽配線か、あるいは、壁面に沿って配置された配線がハウジングの側面に設けられた引き込み口を介してハウジングの内部に引き込まれて蓄電池に接続される露出配線のいずれか一方のみが可能になっている。
【０００６】
しかし、前記蓄電池ユニットでは、例えば、隠蔽配線のみが可能な場合、コンクリートなど配線を壁内に配置するのが困難な場所には設置することが難しく、また、露出配線のみが可能な場合、周囲に空間を確保するのが難しい狭い空間には設置することが難しくなるため、設置場所が制限される場合がある。
【０００７】
そこで、本開示は、蓄電池ユニットを設置する場所の自由度を高めることができる蓄電池ユニット用ハウジング、および、この蓄電池ユニット用ハウジングを備えた蓄電池ユニットを提供することを課題とする。
【課題を解決するための手段】
【０００８】
本開示の一例の蓄電池ユニット用ハウジングは、
蓄電池を収容可能な本体と、
前記本体の内部に設けられ、前記蓄電池と外部機器とを電気的に接続する配線を接続可能な接続部と
を備え、
前記本体が、
前記本体の内部および前記本体の外部にそれぞれ連通して、前記配線を前記本体の内部に引き込み可能な複数の引き込み口を有し、
前記複数の引き込み口を介して前記本体の内部に引き込まれた前記配線が、前記接続部に接続可能に構成されている。
【０００９】
また、本開示の一例の蓄電池ユニットは、
蓄電池と、
前記蓄電池が収容された前記蓄電池ユニット用ハウジングと
を備える。
【発明の効果】
【００１０】
前記蓄電池ユニット用ハウジングによれば、本体が、本体の内部および本体の外部にそれぞれ連通して、配線を前記本体の内部に引き込み可能な複数の引き込み口を有し、複数の引き込み口を介して本体の内部に引き込まれた配線が、接続部に接続可能に構成されている。このような構成により、蓄電池ユニットを設置する場所の自由度を高めることができる蓄電池ユニット用ハウジングを実現できる。
【００１１】
前記蓄電池ユニットによれば、前記蓄電池ユニット用ハウジングにより、設置場所の自由度が高い蓄電池ユニットを実現できる。
【図面の簡単な説明】
【００１２】
【図１】本開示の一実施形態の蓄電池ユニットを示す斜視図。
【図２】図１の蓄電池ユニットの側面図。
【図３】図１の蓄電池ユニットの背面図。
【図４】図１の蓄電池ユニットのカバーを取り外した状態の上面図。
【図５】図１のV-V線に沿った断面図。
【図６】図１のVI-VI線に沿った断面図。
【図７】図１の蓄電池ユニットのカバーを取り外して蓋部を閉じた状態の斜視図。
【図８】図１の蓄電池ユニットのカバーを取り外して蓋部を開いた状態の斜視図。
【発明を実施するための形態】
【００１３】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１４】
本開示の一実施形態の蓄電池ユニット１は、図１に示すように、蓄電池２と、この蓄電池２が収容された蓄電池ユニット用ハウジング３とを備えている。
【００１５】
蓄電池ユニット用ハウジング３は、図１〜図４に示すように、蓄電池２を収容可能な本体１０と、本体１０の内部に設けられて蓄電池２と外部機器（図示せず）とを電気的に接続する配線４を接続可能な接続部２０とを備えている。接続部２０は、蓄電池２に電気的に接続されている。
【００１６】
本体１０は、図１に示すように、例えば、略直方体の箱状で、蓄電池２を収容する収容部１１と、この収容部１１に取り付けられたカバー１２とで構成されている。図２および図３に示すように、収容部１１の４つの側面の１つである第１側面１１１と、この第１側面１１１に交差する第２側面１１２とには、それぞれ引き込み口１３、１４が設けられている。すなわち、本体１０は、複数の引き込み口１３、１４（この実施形態では、２つ）を有している。各引き込み口１３、１４は、図４に示すように、第１側面１１１および第２側面１１２の鉛直方向の上端部でかつ第１側面１１１および第２側面１１２により形成される角部１１５の近傍にそれぞれ配置されていると共に、本体１０の内部および外部に連通しており、配線４を引き込み可能に構成されている。なお、図４は、カバー１２を取り外した状態の本体１０の平面図を示している。
【００１７】
例えば、図２に示すように、第２側面１１２を壁などの設置面５に対向するように蓄電池ユニット１を設置する場合、設置面５に沿って配置された配線４が第１側面１１１の引き込み口１３を介して本体１０の内部に引き込まれて接続部２０に接続される露出配線（図２の矢印Ａ参照）を行うことが可能になる。さらに、露出配線だけでなく、設置面５内に配置された配線４が第２側面１１２に設けられた引き込み口１４を介して本体１０の内部に引き込まれて接続部２０に接続される隠蔽配線（図２の矢印Ｂ参照）を行うことも可能になる。
【００１８】
本体１０の内部には、図４に示すように、接続部２０が配置されている第１収容部１５と、複数の引き込み口１３、１４に接続されていると共に、開口部１８を介して第１収容部１５に接続されている第２収容部１６と、開口部１８を封止する封止部１７とが設けられている。第１収容部１５は、封止部１７と共に、蓄電池ユニット１内部の発火による延焼を防止する防火エンクロージャを構成している。すなわち、第２収容部１６は、防火エンクロージャの外部に位置している。
【００１９】
第２収容部１６の底面には、図５および図６に示すように、２つの排水用傾斜面１６１、１６２（以下、第１排水用傾斜面１６１および第２排水用傾斜面１６２という。）が設けられている。第１排水用傾斜面１６１は、図５に示すように、封止部１７から第２側面１１２に設けられている引き込み口１４に向かって（すなわち、第２側面１１２に交差する方向に向かって）鉛直方向に傾斜している。また、第２排水用傾斜面１６２は、図６に示すように、第１側面１１１に設けられている引き込み口１３から第１側面１１１に交差する方向に向かって（すなわち、第２側面１１２に沿って）鉛直方向に傾斜し、第１排水用傾斜面１６１に接続されている。すなわち、第２収容部１６は、鉛直方向から見て、略Ｔ字状を有している。
【００２０】
例えば、配線４を伝わって第２収容部１６に水が侵入したとしても、この水は、第１排水用傾斜面１６１および第２排水用傾斜面１６２によって、第２側面１１２の引き込み口１４から本体１０の外部に排水される。
【００２１】
図３に示すように、本体１０の第１側面１１１および第１側面１１１に相対する第３側面１１３には、それぞれ把手用溝部１１４が設けられている。各把手用溝部１１４は、図２に示すように、略Ｌ字状を有し、第２側面１１２に交差（例えば、直交）する方向に延びる第１溝部１１６と、第１溝部１１６のその延在方向における第２側面１１２から遠い方の端部から鉛直方向沿いに延びる第２溝部１１７とで構成されている。
【００２２】
第１溝部１１６の第２側面１１２と第２溝部１１７との間には、引き込み口１３が配置されている。また、第２溝部１１７は、図１に示すように、第１側面１１１に交差（例えば、直交）する方向沿いを第１溝部１１６の底面から第１側面１１１に向かって傾斜している。
【００２３】
第１側面１１１の引き込み口１３には、図７および図８に示すように、引き込み口１３を開閉する蓋部１３１が設けられている。この蓋部１３１により、例えば、隠蔽配線を行う場合、図７に示すように、第１側面１１１の引き込み口１３を蓋部１３１で閉じることができるので、第１側面１１１の引き込み口１３を介して第２収容部１５が本体１０の外部から見えないように目隠しすることができる。また、露出配線を行う場合、本体１０の外部の配線４は、通常、ダクトなどにより覆われて外部に露出しないようになっているが、前記蓄電池ユニット用ハウジング３では、第１側面１１１に把手用溝部１１４が設けられているため、把手用溝部１１４の第１溝部１１６から配線４が本体１０の外部に露出するおそれがある。図８に示すように、把手用溝部１１４の第１溝部１１６を蓋部１３１で塞ぐことができるので、第１溝部１１６を介して配線４が本体１０の外部から見ないように目隠しすることができる。
【００２４】
封止部１７は、例えば、ケーブルグランドで構成され、本体１０から取り外し可能に構成されている。この封止部１７により、開口部１８を介した第１収容部１５内への塵、水などの侵入を防いでいると共に、第１収容部１５で発火した場合の類焼を防いでいる。
【００２５】
前記蓄電池ユニット用ハウジング３では、本体１０が、本体１０の内部および本体１０の外部にそれぞれ連通して、配線４を本体１０の内部に引き込み可能な複数の引き込み口１３、１４を有し、複数の引き込み口１３、１４を介して本体１０の内部に引き込まれた配線４が、接続部２０に接続可能に構成されている。このような構成により、例えば、前記蓄電池ユニット用ハウジング３のように、第２側面１１２を壁などの設置面５に対向するように蓄電池ユニット用ハウジング３を設置すると共に、第１側面１１１および第２側面１１２の各々に引き込み口１３、１４を少なくとも１つ設けることで、露出配線および隠蔽配線を選択的に行うことができる蓄電池ユニット１を実現できる。すなわち、蓄電池ユニット１を設置する場所の自由度を高めることができる蓄電池ユニット用ハウジングを実現できる。
【００２６】
また、本体１０が、接続部２０が配置されている第１収容部１５と、複数の引き込み口１３、１４に接続されていると共に、開口部１８を介して第１収容部１５に接続されている第２収容部１６と、開口部１８を封止する封止部１７とを有している。このような構成により、例えば、隠蔽配線用の引き込み口に封止部を有する蓄電池ユニットでは用いることができなかったケーブルグランドのような部品で封止部を構成することができる。すなわち、蓄電池ユニット１を設置する場所の自由度をより高めることができる蓄電池ユニット用ハウジングを実現できる。
【００２７】
また、第１収容部１５および封止部１７とで、防火エンクロージャを構成している。このような構成により、第２収容部１６に余った配線４を収容することができるので、余剰配線処理を容易に行うことができる。
【００２８】
また、封止部１７が、本体１０から取り外し可能に構成されている。このような構成により、配線４を接続部２０に接続する際の作業性を高めて、施工信頼性を向上させることができる。
【００２９】
また、封止部１７が、ケーブルグランドで構成されている。このような構成により、いずれの引き込み口１３、１４から配線４を引き込んだ場合であっても、整線した状態で接続部２０に配線４を接続することができる。
【００３０】
また、第２収容部１６が、封止部１７から複数の引き込み口１３、１４の少なくともいずれかに向かって鉛直方向に傾斜する排水用傾斜面１６１を有している。この排水用傾斜面１６１、１６２により、例えば、配線４を伝わって第２収容部１６に水が侵入したとしても、侵入した水を容易に本体１０の外部に排水することができる。
【００３１】
また、本体１０が、第１側面１１１と、第１側面１１１に交差する第２側面１１２とを有し、第１側面１１１および第２側面１１２の各々に、複数の引き込み口１３、１４が少なくとも１つ配置されている。このような構成により、例えば、第２側面１１２を壁などの設置面５に対向するように蓄電池ユニット用ハウジング３を設置することで、露出配線および隠蔽配線を選択的に行うことができる蓄電池ユニット１をより確実に実現できる。
【００３２】
なお、本開示の蓄電池ユニット用ハウジング３は、蓄電池２を収容可能な箱状の本体１０と、本体の内部に設けられ、蓄電池２と外部機器とを電気的に接続する配線を接続可能な接続部２０とを備え、本体１０が、本体１０の内部および外部にそれぞれ連通して、配線４を本体１０の内部に引き込み可能な複数の引き込み口１３、１４を有していればよい。
【００３３】
例えば、第１収容部１５、第２収容部１６および封止部１７は、設けなくてもよい。この場合、各引き込み口１３、１４に防火エンクロージャを構成する封止部を設ければよい。すなわち、防火エンクロージャは、第１収容部１５および封止部１７で構成する場合に限らない。
【００３４】
封止部１７は、本体１０から取り外し可能に構成されている場合に限らず、本体１０に取り外し不可能に構成されていてもよい。
【００３５】
第２収容部１６の排水用傾斜面１６１、１６２のいずれか一方または両方は、省略することができる。また、排水用傾斜面１６１、１６２は、第２側面１１２の引き込み口１４に向かって傾斜する場合に限らず、第１側面１１１の引き込み口１３に向かって傾斜するように構成してもよい。
【００３６】
複数の引き込み口１３、１４は、第１側面１１１および第２側面１１２の各々に、一つずつ設ける場合に限らず、例えば、第１側面１１１に複数の引き込み口を設けてもいし、第１側面１１１、第２側面１１２および第３側面１１３の各々に、少なくとも１つの引き込み口を設けてもよい。また、各引き込み口の側面における配置、形状および大きさは、蓄電池ユニット用ハウジング３の設計などに応じて、適宜変更できる。
【００３７】
封止部１７は、ケーブルグランドに限らず、例えば、配線４と開口部１８との間の隙間を封止可能な耐火パテで構成してもよい。この場合、第１収容部１５で発火した場合の類焼を確実に防止するためには、第２収容部１６内の配線４を防火テープで覆う必要がある。また、封止部１７を防火グロメットで構成しても構わない。
【００３８】
以上、図面を参照して本開示における種々の実施形態を詳細に説明したが、最後に、本開示の種々の態様について説明する。なお、以下の説明では、一例として、参照符号も添えて記載する。
【００３９】
本開示の第１態様の蓄電池ユニット用ハウジング３は、
蓄電池２を収容可能な本体１０と、
前記本体１０の内部に設けられ、前記蓄電池２と外部機器とを電気的に接続する配線４を接続可能な接続部２０と
を備え、
前記本体１０が、
前記本体１０の内部および前記本体１０の外部にそれぞれ連通して、前記配線４を前記本体１０の内部に引き込み可能な複数の引き込み口１３、１４を有し、
前記複数の引き込み口１３、１４を介して前記本体１０の内部に引き込まれた前記配線４が、前記接続部２０に接続可能に構成されている。
【００４０】
第１態様の蓄電池ユニット用ハウジング３によれば、本体１０が、本体１０の内部および本体１０の外部にそれぞれ連通して、配線４を本体１０の内部に引き込み可能な複数の引き込み口１３、１４を有し、複数の引き込み口１３、１４を介して本体１０の内部に引き込まれた配線４が、接続部２０に接続可能に構成されている。このような構成により、蓄電池ユニット１を設置する場所の自由度を高めることができる蓄電池ユニット用ハウジングを実現できる。
【００４１】
本開示の第２態様の蓄電池ユニット用ハウジング３は、
前記本体１０が、
前記本体１０の内部に設けられ、前記接続部２０が配置されている第１収容部１５と、
前記本体１０の内部に設けられ、前記複数の引き込み口１３、１４に接続されていると共に、開口部１８を介して前記第１収容部１５に接続されている第２収容部１６と、
前記開口部１８を封止する封止部１７と
を有している。
【００４２】
第２態様の蓄電池ユニット用ハウジング３によれば、例えば、隠蔽配線用の引き込み口に封止部を有する蓄電池ユニットでは用いることができなかったケーブルグランドのような部品で封止部を構成することができる。すなわち、蓄電池ユニット１を設置する場所の自由度をより高めることができる蓄電池ユニット用ハウジングを実現できる。
【００４３】
本開示の第３態様の蓄電池ユニット用ハウジング３は、
前記第１収容部１５および前記封止部１７とで、防火エンクロージャを構成している。
【００４４】
第３態様の蓄電池ユニット用ハウジング３によれば、第２収容部１６に余った配線４を収容することができるので、余剰配線処理を容易に行うことができる。
【００４５】
本開示の第４態様の蓄電池ユニット用ハウジング３は、
前記封止部１７が、前記本体１０から取り外し可能に構成されている。
【００４６】
第４態様の蓄電池ユニット用ハウジング３によれば、配線４を接続部２０に接続する際の作業性を高めて、施工信頼性を向上させることができる。
【００４７】
本開示の第５態様の蓄電池ユニット用ハウジング３は、
前記封止部１７が、ケーブルグランドで構成されている。
【００４８】
第５態様の蓄電池ユニット用ハウジング３によれば、いずれの引き込み口１３、１４から配線４を引き込んだ場合であっても、整線した状態で接続部２０に配線４を接続することができる。
【００４９】
本開示の第６態様の蓄電池ユニット用ハウジング３は、
前記第２収容部１６が、前記封止部１７から前記複数の引き込み口１３、１４の少なくともいずれかに向かって鉛直方向に傾斜する排水用傾斜面１６１、１６２を有している。
【００５０】
第６態様の蓄電池ユニット用ハウジング３によれば、排水用傾斜面１６１、１６２により、例えば、配線４を伝わって第２収容部１６に水が侵入したとしても、侵入した水を容易に本体１０の外部に排水することができる。
【００５１】
本開示の第７態様の蓄電池ユニット用ハウジング３は、
前記本体１０が、第１側面１１１と、前記第１側面１１１に交差する第２側面１１２とを有し、
前記第１側面１１１および前記第２側面１１２の各々に、前記複数の引き込み口１４、１４が少なくとも１つ配置されている。
【００５２】
第７態様の蓄電池ユニット用ハウジング３によれば、例えば、第２側面１１２を壁などの設置面５に対向するように蓄電池ユニット用ハウジング３を設置することで、露出配線および隠蔽配線を選択的に行うことができる蓄電池ユニット１をより確実に実現できる。
【００５３】
本開示の第８態様の蓄電池ユニット１は、
蓄電池２と、
前記蓄電池２が収容された前記態様の蓄電池ユニット用ハウジング３と
を備える。
【００５４】
第８態様の蓄電池ユニット１によれば、蓄電池ユニット用ハウジング３により、設置場所の自由度が高い蓄電池ユニット１を実現できる。
【００５５】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００５６】
本開示の蓄電池ユニット用ハウジングは、例えば、蓄電池一体型パワーコンディショナなどの室内用の蓄電池ユニットに適用できる。
【００５７】
本開示の蓄電池ユニットは、例えば、太陽光発電用蓄電システムに適用できる。
【符号の説明】
【００５８】
１  蓄電池ユニット
２  蓄電池
３  蓄電池ユニット用ハウジング
４  配線
５  設置面
１０  本体
１１  収容部
１１１  第１側面
１１２  第２側面
１１３  第３側面
１１４  把手用溝部
１１５  角部
１１６  第１溝部
１１７  第２溝部
１２  カバー
１３、１４  引き込み口
１３１  蓋部
１５  第１収容部
１６  第２収容部
１６１  第１排水用傾斜面
１６２  第２排水用傾斜面
１７  封止部
１８  開口部
２０  接続部
【図１】
2020071950.tif 000003
【図２】
2020071950.tif 000004
【図３】
2020071950.tif 000005
【図４】
2020071950.tif 000006
【図５】
2020071950.tif 000007
【図６】
2020071950.tif 000008
【図７】
2020071950.tif 000009
【図８】
2020071950.tif 000010